(57)【特許請求の範囲】
【請求項１】
低解像度のレンズと、高解像度のレンズと、これらを駆動することにより所定方向に移動させる第１の駆動ユニットとを備えるレンズユニットと、
前記レンズユニットと、これを駆動することにより所定方向に移動させる第２の駆動ユニットと、ＣＣＤセンサユニットと、少なくとも第１及び第２のミラーとを備える光学ユニットとを備え、
前記光学ユニットにおいて、読取の光軸が、前記ＣＣＤセンサユニットと第１のミラーとを結び前記第１のミラーと第２のミラーとを結ぶように、その位置が定められ、
第１の位置が前記ＣＣＤセンサユニットと第１のミラーとを結ぶ光軸の上とされ、第２の位置が前記第１のミラーと第２のミラーとを結ぶ光軸の上であって第３の位置より前記第１のミラーに近い位置とされ、第３の位置が前記第１のミラーと第２のミラーとを結ぶ光軸の上であって前記第２の位置より前記第２のミラーに近い位置とされ、
第１の解像度での読取において、前記低解像度のレンズが前記第１の位置で光軸の位置に入るように、かつ、前記高解像度のレンズが光軸の位置に入らないように、前記第１の駆動ユニットが前記低解像度及び高解像度のレンズを移動させ、かつ、前記第２の駆動ユニットが前記レンズユニットを移動させ、
前記第１の解像度より高い解像度の第２の解像度での読取において、前記低解像度のレンズが光軸の位置に入らないように、かつ、前記高解像度のレンズが前記第２の位置で光軸の位置に入るように、前記第１の駆動ユニットが前記低解像度及び高解像度のレンズを移動させ、かつ、前記第２の駆動ユニットが前記レンズユニットを移動させ、
前記第２の解像度より高い解像度の第３の解像度での読取において、前記低解像度のレンズが光軸の位置に入らないように、かつ、前記高解像度のレンズが前記第２の位置の属する光軸と同一の光軸上の前記第３の位置で前記第２の位置に入る場合と反転することなく光軸の位置に入るように、前記第１の駆動ユニットが前記低解像度及び高解像度のレンズを移動させ、かつ、前記第２の駆動ユニットが前記レンズユニットを移動させる
ことを特徴とする画像読取装置。
【請求項２】
当該画像読取装置が、更に、
前記光学ユニットを駆動する第３の駆動ユニットとを備え、
前記光学ユニットが主走査方向に移動可能である
ことを特徴とする請求項１に記載の画像読取装置。
【請求項３】
当該画像読取装置が、更に、
前記光学ユニット及び第３の駆動ユニットとを有するフラットベットキャリアと、
前記フラットベットキャリアを駆動する第４の駆動ユニットと、
前記フラットベットキャリアに取り付けられた透過原稿の読取における光源である透過ランプユニットとを備え、
前記フラットベットキャリア及び透過ランプユニットが副走査方向に移動可能である
ことを特徴とする請求項２に記載の画像読取装置。
【請求項４】
前記透過ランプユニットの光束の幅を読み取り、これにもとづいて前記第２の駆動ユニットが前記レンズユニットを駆動することにより、前記透過ランプユニットの光軸を補正する
ことを特徴とする請求項３に記載の画像読取装置。
【発明の詳細な説明】
【０００１】
【発明の属する技術分野】
本発明は、画像読取装置に関し、特に、２個のレンズを備え、これらを移動することにより、３つの解像度で画像を読み取ることができる画像読取装置に関する。
【０００２】
【従来の技術】
スキャナ等の画像読取装置の中で、特に高い解像度を有する装置（以下、高解像度スキャナ）がある。このような高解像度スキャナでは、通常、その解像度を例えば７００ｄｐｉ、２４００ｄｐｉ、４０００ｄｐｉのように数段階に切り替えることができる。各々の解像度での読取用のレンズが必要であるので、このように３段階に解像度を切り替えるとすると、３枚のレンズを備える必要がある。レンズの価格は、通常、高解像度用のものほど、高価である。解像度を切り替える場合、この切り替えに起因して読取可能な領域が同時に縮小される。この結果、読取可能な領域は、原稿台（プラテンガラス）の幅方向（主走査方向）の中央部分に限定される。
【０００３】
【発明が解決しようとする課題】
前述のように、高解像度スキャナでは、解像度の切り替えの段階数と同じ数のレンズを必要とする。レンズは極めて高価であるため、高解像度スキャナが高価なものになってしまう。特に、複数の高い解像度を実現するほど、その傾向が顕著になる。
【０００４】
また、解像度の切り替えを行うと、読取可能な領域が主走査方向の中央部分に制限されてしまう。このため、原稿台の全域（即ち、画像読取領域の全域）において画像データを得ることはできなくなってしまう。
【０００５】
本発明は、少ないレンズの数でより多くの解像度で画像を読み取ることができる高解像度の画像読取装置を提供することを目的とする。
【０００６】
【課題を解決するための手段】
本発明の画像読取装置は、低解像度のレンズと高解像度のレンズとこれらを駆動することにより所定方向に移動させる第１の駆動ユニットとを備えるレンズユニットと、レンズユニットとこれを駆動することにより所定方向に移動させる第２の駆動ユニットとＣＣＤセンサユニットと少なくとも第１及び第２のミラーとを備える光学ユニットとを備える。光学ユニットにおいて、読取の光軸が、ＣＣＤセンサユニットと第１のミラーとを結び第１のミラーと第２のミラーとを結ぶように、その位置が定められる。第１の位置がＣＣＤセンサユニットと第１のミラーとを結ぶ光軸の上とされ、第２の位置が第１のミラーと第２のミラーとを結ぶ光軸の上であって第３の位置より第１のミラーに近い位置とされ、第３の位置が第１のミラーと第２のミラーとを結ぶ光軸の上であって第２の位置より第２のミラーに近い位置とされる。第１の解像度での読取において、低解像度のレンズが第１の位置で光軸の位置に入るように、かつ、高解像度のレンズが光軸の位置に入らないように、第１の駆動ユニットが低解像度及び高解像度のレンズを移動させ、かつ、第２の駆動ユニットがレンズユニットを移動させる。第１の解像度より高い解像度の第２の解像度での読取において、低解像度のレンズが光軸の位置に入らないように、かつ、高解像度のレンズが第２の位置で光軸の位置に入るように、第１の駆動ユニットが低解像度及び高解像度のレンズを移動させ、かつ、第２の駆動ユニットがレンズユニットを移動させる。第２の解像度より高い解像度の第３の解像度での読取において、低解像度のレンズが光軸の位置に入らないように、かつ、高解像度のレンズが第２の位置の属する光軸と同一の光軸上の第３の位置で第２の位置に入る場合と反転することなく光軸の位置に入るように、第１の駆動ユニットが低解像度及び高解像度のレンズを移動させ、かつ、第２の駆動ユニットがレンズユニットを移動させる。
【０００７】
本発明の画像読取装置によれば、低解像度及び高解像度の２枚のレンズで、第１乃至第３の解像度（即ち、３つの焦点）を実現することができる。特に、１枚の高解像度のレンズで、第２及び第３の解像度（即ち、２つの焦点）を実現することができる。例えば、第１の位置がＣＣＤセンサユニットと第１のミラーとを結ぶ光軸の上とされ、第２の位置が第１のミラーと第２のミラーとを結ぶ光軸の上であって第３の位置より第１のミラーに近い位置とされ、第３の位置が第１のミラーと第２のミラーとを結ぶ光軸の上であって第２の位置より第２のミラーに近い位置とされる。更に、低解像度のレンズは、第１の位置で例えば解像度７００ｄｐｉでの読取に使用される。高解像度のレンズは、２つの解像度の実現のために移動することにより、第２の位置で例えば解像度２４００ｄｐｉでの読取に使用され、第３の位置で例えば解像度４０００ｄｐｉでの読取に使用される。従って、解像度の切り替えの段階数よりも少ないレンズ数で多くの解像度を実現できる。この結果、画像読取装置の価格を抑えることができる。特に、より高い解像度である第２及び第３の解像度用のレンズを兼用しているので、より高価なレンズを用いることなく、より多くの解像度を実現できる。この結果、画像読取装置の価格を効果的に抑えることができる。
【０００８】
【発明の実施の形態】
図１乃至図３は、画像読取装置構成図であり、本発明の画像読取装置の構成の概略を示す。特に、図１は画像読取装置のブロック構成図、図２は画像読取装置の断面構成図、図３は画像読取装置の平面構成図である。
【０００９】
この例では、画像読取装置は、例えばその上面に原稿台１５を備えるフラットベット型の高解像度スキャナからなる（以下、高解像度スキャナという）。原稿台１５は、例えばプラテンガラスからなる。なお、このプラテンガラスは、図示しないが、その枠体（高解像度スキャナの筐体１００）から取り外し可能に設けられる。これにより、高解像度スキャナの筐体１００の内部のチリやゴミ等の清掃が可能となる。なお、このプラテンガラスの交換については後述する。
【００１０】
高解像度スキャナは制御処理部１６を備える。制御処理部１６は、媒体上の画像の読取処理等において、以下に述べる第１乃至第４の駆動ユニット３、５、９、１２を制御して、各々の駆動対象を所定の方向に所定の量だけ移動させる。
【００１１】
高解像度スキャナはレンズユニット４を備える。レンズユニット４は、図４等に示すように、低解像度のレンズ１、高解像度のレンズ２、第１の駆動ユニット３を備える。低解像度のレンズ１は、後述するように、第１の位置で例えば解像度７００ｄｐｉでの読取に使用される。高解像度のレンズ２は、後述するように、第２の位置で例えば解像度２４００ｄｐｉでの読取に使用され、第３の位置で例えば解像度４０００ｄｐｉでの読取に使用される。レンズ１及び２は、後述するように、前記所定の解像度の実現のために移動する。第１の駆動ユニット３は、レンズ１及び２を駆動する。第１の駆動ユニット３は、例えばモータとラック及びギヤのような駆動機構とからなる（図示せず）。レンズ１及び２は、第１の駆動ユニット３により、所定の方向に移動する。
【００１２】
高解像度スキャナは光学ユニット８を備える。レンズユニット４は光学ユニット８の一部である。即ち、光学ユニット８は、図４（Ａ）等に示すように、レンズユニット４、第２の駆動ユニット５、ＣＣＤセンサユニット６、少なくとも第１及び第２のミラー７（７１、７２）とを有する。レンズユニット４は、後述するように、所定の解像度の実現のために移動する。第２の駆動ユニット５はレンズユニット４を駆動する。レンズユニット４は、第２の駆動ユニット５により、所定の方向に移動する。ＣＣＤセンサユニット６は、周知のＣＣＤ（電荷結合素子）からなるラインセンサからなり、原稿台１５上に載せられた媒体上の画像を読み取って、画像データ（電子データ）を出力する。
【００１３】
第２の駆動ユニット５は、例えばモータとラック及びギアのような駆動機構とからなる（図示せず）。実際には、第１の駆動ユニット３のモータは、第２の駆動ユニット５のモータとしても使用される。
【００１４】
第１のミラー７１は、光学ユニット８内における光軸（図２において、点線で示す）の方向を転換する。第２のミラー７２は、フラットベットキャリア１１内における光軸の方向を転換する。光学ユニット８内における光軸の方向を転換する。即ち、第１のミラー７１は第２のミラー７２からの光をほぼ直角に曲げてＣＣＤセンサユニット６に入射させ、第２のミラー７２は光源からの光をほぼ直角に曲げて第１のミラー７１に向ける。光源からの光とは、透過原稿を透過した透過ランプユニット１３からの光、又は、反射原稿で反射した反射ランプユニット１０からの光である。これにより、図４（Ａ）等に示すように、光学ユニット８において、読取時における光軸が、ＣＣＤセンサユニット６と第１のミラー７１とを結び第１のミラー７１と第２のミラー７２とを結ぶように、その位置が定められる。
【００１５】
光学ユニット８及びレンズユニット４の具体的な構造を図６に、レンズユニット４の部分的な構造を図７に示す。
【００１６】
図６において、光学ユニット８は、後述するフラットベットキャリア１１内に収納される。光学ユニット８は、２本のＸ軸９２、９３をガイドとして、Ｘモータ９１（及びベルト）等により、主走査方向（Ｘ方向）に駆動される。Ｘモータ９１、Ｘ軸９２、９３等で第３の駆動ユニット９を構成する。ＣＣＤセンサユニット６は、光学ユニット８に一体に設けられ、これとともに移動する。これに対して、第２のミラー７２は、フラットベットキャリア１１の内部に固定され、主走査方向の全域に渡って設けられる。同様に、反射ランプユニット１０も、フラットベットキャリア１１の内部に固定され、主走査方向の全域に渡って設けられる。
【００１７】
このように、光学ユニット８は、主走査方向の全域に渡って移動する。前述のように、高解像度における読取の場合、読取可能な領域が主走査方向の中央部分に制限される。具体的には、１個の読取ライン（１ラスタ）におけるＣＣＤセンサユニット６と物理的にほぼ等しい。そこで、制御処理部１６は、高解像度（第１乃至第３の解像度）における読取の場合、光学ユニット８を主走査方向の全域に渡って（左端から右端まで）移動させる。この処理は副走査方向の全域に渡って繰り返される。これにより、原稿台１５の全域（即ち、画像読取領域の全域）において、高解像度の画像データを得ることができる。
【００１８】
図７において、レンズユニット４は、低解像度及び高解像度のレンズ１及び２を一体に設ける。レンズユニット４において、低解像度のレンズ１はＣＣＤセンサユニット６に対向して上下方向に設けられ、高解像度のレンズ２は副走査方向（Ｙ方向）に設けられる。第１のミラー７１は、光学ユニット８に一体に設けられ、これとともに移動する。従って、第１のミラー７１は、主走査方向の全域にではなく、ＣＣＤセンサユニット６（又はレンズユニット４）の主走査方向の幅にほぼ等しい範囲に設けられる。第１の駆動ユニット３及び第２の駆動ユニット５は、光学ユニット８に一体に設けられるが、その図示を省略している。なお、図７において、レンズユニット４は、引き出し線により符号４を付した部分（２カ所）であり、他は光学ユニット８を構成する部分である。
【００１９】
制御処理部１６は、第１の解像度での読取において、第１の駆動ユニット３に低解像度及び高解像度のレンズ１及び２を駆動させ、かつ、第２の駆動ユニット５にレンズユニット４を駆動させる。これにより、図４（Ａ）に示すように、低解像度のレンズ１が第１の位置で光軸の位置に入るようにし、かつ、高解像度のレンズ２が光軸の位置に入らないようにする。第１の位置はＣＣＤセンサユニット６と第１のミラー７１とを結ぶ光軸の上である。これにより、低解像度のレンズ１が例えば７００ｄｐｉでの読取の焦点位置に合わせられる。
【００２０】
また、制御処理部１６は、第２の解像度での読取において、図４（Ｂ）に示すように、第１の駆動ユニット３に低解像度及び高解像度のレンズ１及び２を駆動させる。レンズ１及び２は、一体に設けられ、同時に駆動される。駆動方向はレンズユニット４の下方である。これにより、高解像度のレンズ２が、レンズユニット４から下方にはみ出して、第１及び第２のミラー７１及び７２との間の光軸の上に位置するようにする。更に、制御処理部１６は、第２の駆動ユニット５にレンズユニット４を駆動させる。駆動方向は第２のミラー７２の方向である。これにより、図５（Ａ）に示すように、低解像度のレンズ１が光軸の位置に入らないようにし、高解像度のレンズ２が第２の位置で光軸の位置に入るようにする。第２の位置は第１のミラー７１と第２のミラー７２とを結ぶ光軸の上であって第３の位置より第１のミラー７１に近い位置である。これにより、高解像度のレンズ２が例えば２４００ｄｐｉでの読取の焦点位置に合わせられる。
【００２１】
また、制御処理部１６は、第３の解像度での読取において、（図４（Ａ）の状態から）第１の駆動ユニット３に低解像度及び高解像度のレンズ１及び２を駆動させ、かつ、（図５（Ａ）の状態から）第２の駆動ユニット５がレンズユニット４を駆動させる。これにより、図５（Ｂ）に示すように、低解像度のレンズ１が光軸の位置に入らないようにし、高解像度のレンズ２が第３の位置で光軸の位置に入るようにする。第３の位置は第１のミラー７１と第２のミラー７２とを結ぶ光軸の上であって第２の位置より第２のミラー７２に近い位置である。即ち、いわゆる逆倍率を用いる位置とされる。これにより、高解像度のレンズ２が例えば４０００ｄｐｉでの読取の焦点位置に合わせられる。
【００２２】
なお、第１乃至第３の解像度は、いずれからいずれに切り替えられてもよい。即ち、図４（Ａ）、図５（Ａ）、図５（Ｂ）の状態の間は、相互に切り替え可能である。この切り替え時、図４（Ａ）の状態と図５（Ａ）及び図５（Ｂ）の状態との間の遷移に過程で、図４（Ｂ）に示す状態を経由することになる。
【００２３】
高解像度スキャナはフラットベットキャリア１１を備える。フラットベットキャリア１１は、図６に示すように、そのフレーム１１１、前カバー１１２、カバー１１３からなる。光学ユニット８は、フラットベットキャリア１１の一部として、その内部に収納される。即ち、フラットベットキャリア１１は、光学ユニット８、第３の駆動ユニット９、反射ランプユニット１０を有する。光学ユニット８は、主として高解像度での読取時等において、主走査方向（矢印Ａ）に移動する。第３の駆動ユニット９は光学ユニット８を駆動する。第３の駆動ユニット９は、例えばモータとガイドのような駆動機構とからなる（図示せず）。光学ユニット８は、第３の駆動ユニット９により、主走査方向に移動可能である。
【００２４】
反射ランプユニット１０は、原稿台１５上の媒体が反射原稿である場合の読取における光源であり、図６に示すように、主走査方向の全域に渡って設けられる。反射ランプユニット１０は、透過ランプユニット１３と平行であり、フラットベットキャリア１１の一部として固定され、従って、フラットベットキャリア１１の移動に従って、副走査方向に移動可能である。
【００２５】
なお、図４及び図６からわかるように、反射ランプユニット１０は、フラットベットキャリア１１のカバー１１３に覆われることなく露出している。これにより、経年劣化により反射ランプユニット１０からの光量が減少した場合等において、ユーザが反射ランプユニット１０を容易に交換することができる。
【００２６】
高解像度スキャナは、その筐体１００内に、フラットベットキャリア１１、第４の駆動ユニット１２を備える。フラットベットキャリア１１は、読取時等において、副走査方向（矢印Ｂの方向）に移動するキャリアである。第４の駆動ユニット１２はフラットベットキャリア１１を駆動する。第４の駆動ユニット１２は、例えばモータとレールのような駆動機構とからなる（図示せず）。フラットベットキャリア１１は、第４の駆動ユニット１２により、副走査方向に移動可能である。
【００２７】
フラットベットキャリア１１には、透過ランプユニット１３が取付部１４（１４１、１４２）により取り付けられる。透過ランプユニット１３は、原稿台１５上の媒体が透過原稿である場合の読取における光源であり、主走査方向の全域に渡って設けられる。透過ランプユニット１３は、フラットベットキャリア１１に固定され、第４の駆動ユニット１２により駆動されるフラットベットキャリア１１と共に副走査方向に移動可能である。これにより、フラットベットキャリア１１の移動中において、両者の間の相対的な位置ずれにより透過ランプユニット１３からの光量が変動することを防止することができる。なお、フラットベットキャリア１１に透過ランプユニット１３が取り付けられておらず、別駆動の場合は、前記移動中の光量の変動が避けられなかった。
【００２８】
フラットベットキャリア１１及び透過ランプユニット１３の具体的な構造を、図８乃至図１１に示す。
【００２９】
図８において、フラットベットキャリア１１は、前述のように、そのフレーム１１１、前カバー１１２、カバー１１３を組み立てたほぼ直方体形状とされる。フラットベットキャリア１１の全体が、そのベアリング１１４によりレール１２２に沿って、第４の駆動ユニット１２のモータ（図示せず）に結合されたキャリア軸１２１により駆動される。これにより、フラットベットキャリア１１が副走査方向に移動する。キャリア軸（ユニット）１２１、レール１２２等が第４の駆動ユニット１２を構成する。
【００３０】
図９において、透過ランプユニット１３は、その一端で取付部１４１にネジ止めにより取り付けられる。取付部１４１は、図８に示すように、フラットベットキャリア１１側に取り付けられた取付部１４２に、回転支点１４３を介して取り付けられる。これにより、取付部１４１及び透過ランプユニット１３は、図１０及び図１１（Ｂ）に示すように、回転支点１４３を中心として上下に回動可能に設けられる。
【００３１】
即ち、図１０に示すように、当該高解像度スキャナのカバー１０１をあけると、その裏側に固定された透過ランプユニット１３も同時に回動する。なお、図１０は、前述のように、取り外し可能な原稿台１５を取り外した状態を示す。また、図１１（Ａ）にカバー１０１を取り外した状態（側面図）を示し、図１１（Ｂ）にカバー１０１を取り外した状態（斜視図）を示す。これらの図から判るように、取付部１４２の副走査方向への移動経路にはカバー１０１が存在せず、その移動に支障がないようにされる。
【００３２】
なお、透過ランプユニット１３の照射面を覆うカバーガラスは、図示しないが、透過ランプユニット１３の枠体から取り外し可能に設けられる。これにより、透過ランプユニット１３の内部のチリやゴミ等の清掃が可能となる。また、図１０等からわかるように、透過ランプユニット１３は、カバー１０１に組み込まれることなく、これとは別に独立して設けられ、これから露出している。これにより、経年劣化により透過ランプユニット１３からの光量が減少した場合等において、ユーザが透過ランプユニット１３を容易に交換することができる。
【００３３】
回転支点１４３と取付部１４１に設けられた突起部１４４との間に、バネ１４５が設けられる。バネ１４５は、例えばコイルバネからなる。バネ１４５は、図９に現れる取付部１４１の手前側のみならず、図９に現れない取付部１４１の反対側にも同様に設けられる。これにより、取付部１４１（及び透過ランプユニット１３）を取付部１４２又は回転支点１４３に強く引きつける。従って、透過ランプユニット１３がフラットベットキャリア１１とともに副走査方向に移動する場合に、棒状に長い透過ランプユニット１３に加速度が加わっても、これががたつくことを防止して確実に固定することができる。これにより、フラットベットキャリア１１の移動の期間中において、透過ランプユニット１３が振動して両者の間の相対的な位置ずれにより透過ランプユニット１３からの光量が変動することを防止することができる。
【００３４】
このように、透過ランプユニット１３は複数の取付部１４１等を介してフラットベットキャリア１１に固定される。このため、種々の原因で、透過ランプユニット１３の取り付け位置が、図４及び図５に示した本来の位置からずれてしまう場合がある。この原因としては、例えば前述のようにユーザによる透過ランプユニット１３の交換、高解像度スキャナの輸送中の衝撃等がある。この場合にも、前述のように、透過ランプユニット１３からの光量が変動する。そこで、制御処理部１６は、例えば画像の読取処理の開始前のスキャン時に、透過ランプユニット１３の光束の幅（主走査方向の広がり）を読み取り、これにもとづいて、第２の駆動ユニット５にレンズユニット４を主走査方向に駆動させる。これより、透過ランプユニット１３の光束の中心に光軸を配置でき、より正確に（高い解像度で）画像を読み取ることができる。
【００３５】
以上、本発明をその実施の態様に従って説明したが、本発明はその主旨の範囲内において種々の変形が可能である。
【００３６】
例えば、原稿台１５であるプラテンガラスが取り外し可能であるので、プラテンガラスを移動可能に２枚備えるようにしてもよい。この場合、一方の媒体を載せたプラテンガラスを原稿台１５の位置に移動させて媒体をスキャンさせ、このスキャン期間中に、他方のプラテンガラスを原稿台１５の位置から外れるように移動させて媒体を載せる作業をするようにしてもよい。これにより、スキャニングの生産性を向上することができる。
【００３７】
また、本発明は、高解像度スキャナ以外のスキャナであっても適用することができる。また、本発明は、スキャナ以外にも、レンズを備えて画像を光学的に読み取る画像読取装置であれば、適用することができる。
【００３８】
【発明の効果】
以上説明したように、本発明によれば、画像読取装置において、低解像度及び高解像度の２枚のレンズで第１乃至第３の解像度を実現することができるので、解像度の切り替えの段階数よりも少ないレンズ数で多くの解像度を実現できる。この結果、画像読取装置の価格を抑えることができる。特に、１枚の高解像度のレンズを第２及び第３の解像度用に兼用しているので、より高価なレンズを用いることなく、より多くの解像度を実現できる。この結果、画像読取装置の価格を効果的に抑えることができる。
【００３９】
また、本発明によれば、画像読取装置において、光学ユニットが主走査方向に移動可能であるので、解像度を切り替えた結果として読取可能な領域が主走査方向の中央部分に制限されても、光学ユニットを主走査方向に移動することにより、画像読取領域の全域において画像データを得ることができる。
【図面の簡単な説明】
【図１】画像読取装置構成図である。
【図２】画像読取装置構成図である。
【図３】画像読取装置構成図である。
【図４】画像読取装置構成図である。
【図５】画像読取装置構成図である。
【図６】画像読取装置構成図である。
【図７】画像読取装置構成図である。
【図８】画像読取装置構成図である。
【図９】画像読取装置構成図である。
【図１０】画像読取装置構成図である。
【図１１】画像読取装置構成図である。
【符号の説明】
１    低解像度のレンズ
２    高解像度のレンズ
３    第１の駆動ユニット
４    レンズユニット
５    第２の駆動ユニット
６    ＣＣＤセンサユニット
７    第１及び第２のミラー７（７１、７２）
８    光学ユニット
９    第３の駆動ユニット
１１    フラットベットキャリア
１２    第４の駆動ユニット
１３    透過ランプユニット
【図１】
0003974767.tif 000002
【図２】
0003974767.tif 000003
【図３】
0003974767.tif 000004
【図４】
0003974767.tif 000005
【図５】
0003974767.tif 000006
【図６】
0003974767.tif 000007
【図７】
0003974767.tif 000008
【図８】
0003974767.tif 000009
【図９】
0003974767.tif 000010
【図１０】
0003974767.tif 000011
【図１１】
0003974767.tif 000012